(57)【要約】【課題】既存のＯＡフロア材を用いることなく、ユニットハウスをＯＡフロア化することが可能な手段を提供すること。【解決手段】ユニットハウスであって、床材の一部または全部を、着脱床で構成し、前記着脱床に、該着脱床の上面と同一平面上に露出するように、電源、ＬＡＮおよび電話のうち少なくとも何れか１つのコネクタを備えたコンセントを設けてあることを特徴とする。【選択図】図１
2017125350.tif 000002
【特許請求の範囲】
【請求項１】
ユニットハウスであって、
床材の一部または全部を、着脱床で構成し、
前記着脱床に、該着脱床の上面と同一平面上に露出するように、電源、ＬＡＮおよび電話のうち少なくとも何れか１つのコネクタを備えたコンセントを設けてあることを特徴とする、
ユニットハウス。
【請求項２】
前記着脱床を、互いに配置を入れ換え可能な複数の床ピースで構成したことを特徴とする、請求項１に記載のユニットハウス。
【請求項３】
前記コンセントの配線ケーブルを、床下に配置する根太と、床材との間を通して配線することを特徴とする、請求項１または２に記載のユニットハウス。
【請求項４】
前記ユニットハウスの床下または天井に配置する構造材に、前記配線ケーブルを挿通可能な挿通孔を設けることを特徴とする、請求項１乃至３のうち何れか１項に記載のユニットハウス。
【請求項５】
前記着脱床に設けたコンセントの床下側に防水処理を施してあることを特徴とする、請求項１乃至４のうち何れか１項に記載のユニットハウス。
【請求項６】
ユニットハウスの床の一部または全部を構成する床材であって、
前記床材に、該床材の上面と同一平面上に露出するように、電源、ＬＡＮおよび電話のうち少なくとも何れか１つのコネクタを備えたコンセントを設けたことを特徴とする、
ユニットハウス用の床材。
【発明の詳細な説明】
【技術分野】
【０００１】
本発明は、ユニットハウスおよびユニットハウス用の床材に関し、より詳細には、ユニットハウスの床を簡易にＯＡフロア化するための発明に関する。
【背景技術】
【０００２】
ユニットハウスは、住宅、事務所、倉庫または店舗などに用いられる簡易的な建築物である。
一般的なユニットハウスは、規格化された支柱や壁面パネルを箱状に組み立てて建築するものであり、組立作業や分解作業を短時間で実施できるため、仮設の建築物に対して利用されることが多い。
【０００３】
このユニットハウスにおける電力供給のための配線システムとして、以下の特許文献１に記載のシステムが知られている。
この配線システムは、ユニットハウスを構成する壁パネルに配電盤を装着しておき、この配電盤に接続したユニットケーブルを、壁パネルの内側に設けた配線ダクト内に収めて、ユニットハウス内の所定の箇所まで配線した構造を呈している。
当該構造により、ユニットハウスの組立時に各ユニットケーブルを接続する作業で、ユニットハウスに容易に電力供給することを可能としている。
【先行技術文献】
【特許文献】
【０００４】
【特許文献１】特開２０１３−８７６１１号公報
【発明の概要】
【発明が解決しようとする課題】
【０００５】
しかし、特許文献１に記載の発明の場合、ユニットケーブルから伸びるコンセントはあくまで天井や壁に配置されているに過ぎず、床に電源や電話線等の配線を行う際には、ユニットハウスの床材の上から、別途既存のＯＡフロア材を設置しなければならなかった。
【０００６】
よって、本発明は、既存のＯＡフロア材を用いることなく、ユニットハウスをＯＡフロア化することが可能な手段の提供を、少なくとも目的の一つとするものである。
【課題を解決するための手段】
【０００７】
上記目的を達成すべくなされた本願の第１発明は、ユニットハウスであって、床材の一部または全部を、着脱床で構成し、前記着脱床に、該着脱床の上面と同一平面上に露出するように、電源、ＬＡＮおよび電話のうち少なくとも何れか１つのコネクタを備えたコンセントを設けてあることを特徴とする、ユニットハウスを提供する。
また、本願の第２発明は、前記第１発明において、前記着脱床を、互いに配置を入れ換え可能な複数の床ピースで構成したことを特徴とする。
また、本願の第３発明は、前記第１または第２発明において、前記コンセントの配線ケーブルを、床下に配置する根太と、床材との間を通して配線することを特徴とする。
また、本願の第４発明は、前記第１乃至第３発明のうち何れかの発明において、前記ユニットハウスの床下または天井に配置する構造材に、前記配線ケーブルを挿通可能な挿通孔を設けることを特徴とする。
また、本願の第５発明は、前記第１乃至第４発明のうち何れかの発明において、前記着脱床に設けたコンセントの床下側に防水処理を施してあることを特徴とする。
また、本願の第６発明は、ユニットハウスの床の一部または全部を構成する床材であって、前記床材に、該床材の上面と同一平面上に露出するように、電源、ＬＡＮおよび電話のうち少なくとも何れか１つのコネクタを備えたコンセントを設けたことを特徴とする、ユニットハウス用の床材を提供する。
【発明の効果】
【０００８】
本発明によれば、以下に記載する効果のうち、少なくとも何れか１つの効果を奏する。
（１）床材の上から既存のＯＡフロアを改めて設置する必要がない。
（２）床上からコンセントが突出しないため、床材の上にタイルカーペットなどを配置する際に、凹凸や縦横の差異が生じにくくなるため、美感に優れる。
（３）複数のユニットハウスを連結し、隣り合うユニットハウスに配線を渡していく必要がある場合、土台や根太などの構造材に設けた挿通孔を介して一箇所の配電盤や各主装置から配線を伸ばしていくことができ、床上に配線を露出する必要が無くなる。
【図面の簡単な説明】
【０００９】
【図１】本発明に係るユニットハウスの床構造を示す概略分解図。
【図２】隣接するユニットハウス間の配線を示す概略図。
【発明を実施するための形態】
【００１０】
以下、図面を参照しながら、本発明の実施例について説明する。
【実施例】
【００１１】
［実施例１］
＜１＞全体構成。
本発明に係るユニットハウスは、現場で各構造材を組み立てる態様や、床や柱、天井が一部組み立てられた状態で、柱が内側に折り畳まれて収納された状態で搬入されるものなど、公知の態様を採用することができる。
図１は、本発明に係るユニットハウスの一部である床構造を示す概略分解斜視図である。なお、本発明は、ユニットハウスの床部周辺に関する発明であるため、図１では、壁、柱、天井などの図示を省略している。
図１に示すユニットハウスは、少なくとも、地面や基礎の上に配置した土台１０と、土台１０を構成する鋼材の間に一定間隔を設けて配置する根太２０と、前記土台１０および根太２０の上方に敷き渡す床材４０と、を少なくとも含んで構成している。
【００１２】
＜２＞土台・根太。
本実施例では、土台１０にＨ鋼１１を用い、根太２０にＣ鋼１２を用いている。Ｃ鋼１２の端部は、前記Ｈ鋼１１のフランジ間に収容して固定する。
前記土台１０の隅部には、前記Ｈ鋼１１同士や、土台１０と柱とを連結するためのプレート１２などを設けている。
根太２０のフランジ上面の一部には、床材４０のうち後述する固定床４２を根太２０に固定するための接続板３１や、床材４０のうち後述する着脱床４１を支持するための張出板３２などを適宜設けている。
【００１３】
＜３＞床材（着脱床・固定床）。
本発明では、床材４０のうち、少なくとも一部の床材を、着脱式の床材（以下「着脱床４１」という。）を設け、その余を、根太２０の上部に設けた接続板３１に固定する固定床４２としている。
【００１４】
＜３．１＞着脱床の構成例。
着脱床４１は、一部材で構成してもよいし、一部材を複数片に分割してなる複数の床ピース４１１から構成してもよい。
また、各床ピース４１１は、等分に分割して汎用性を高めるように構成してもよいし、それぞれ長さが異なるように分割してもよい。
図１では、着脱床４１を、３枚の床ピース４１１で構成し、中央の床ピース４１１ａと両端の床ピース４１１ｂ，４１１ｃとで長さが異なる構成としている。このような構成とすることで、床ピース４１１を互いに配置を入れ換えて設置することができる。
【００１５】
＜３．２＞着脱床の配置例。
床材４０のうち、着脱床４１を設ける箇所の詳細について説明する。
着脱床４１が隣り合う床材４０と分離独立した状態で敷設される構造である場合には、少なくとも当該着脱床等の底部が、前記した張出板３２などによって支持される必要がある。
一方、着脱床４１が隣り合う床材４０間に架け渡される構造であれば、強度が確保される範囲で、自由に着脱床等を設ける箇所を設定することができる。
【００１６】
＜４＞コンセント。
前記着脱床４１、または前記着脱床４１を構成する床ピース４１１の何れかには、固定床４２の床面と同一平面となるようにコンセント５０を埋め込んでおく。
コンセント５０は、配電盤、電話用の主装置、インターネット接続用の主装置などの供給装置から配線を伸ばしてなる接続端である。
コネクタは、電源のプラグ受け、ＬＡＮや電話のモジュラージャックなどが相当する。
コンセント５０は、電源、ＬＡＮおよび電話を一部材にまとめたものであってもよいし、これらが別々に備わったものでもよい。すなわち、床下に配置するコンセント５０の数は１つに限らない。
コンセント５０の床下側は、防水ボックスで覆うなどの防水処理を施しておくことで、床下への浸水等で故障が発生しないようにしておくことが望ましい。
【００１７】
＜４．１＞配線方法。
前記供給装置からコンセント５０までの配線方法は、ユニットハウスを構成する梁材や柱材、壁材などの各構造材の内部を通したり、前記各構造材の外面を沿わせたりする方法などを採用すればよい。
また、前記供給装置からコンセント５０までの配線長は、ユニットハウスの床下の何れの場所にもコンセント５０を設けた着脱床が配置できる程度の長さを確保しておくと、コンセント５０の位置を柔軟に変更できる点で好ましい。
【００１８】
＜５＞使用方法。
ユニットハウスの構築時には、ユニットハウスの内部のレイアウトから、電源、電話、ＬＡＮなどの引き込み位置を特定し、当該引き込み位置にコンセント５０を設けた着脱床４１を配置した状態とする。
このように、本発明によれば、ユニットハウスの床自体がＯＡフロア化するため、床材の上から公知のＯＡフロアを改めて設置する必要がない。
また、床上にコンセントが露出しないため、床材の上にカーペットなどの敷材の配置の邪魔となることがない。
【００１９】
［実施例２］
本発明では、床下や天井に配置する構造材に、各種ケーブルを挿通するための挿通孔を設けておくことが出来る。
構造材には、土台１０、根太２０、梁、桁、柱、壁などが含まれる。
図２に、本発明の第２実施例に係る構造を示す。
例えば、ユニットハウスを複数隣接して配置する際に、一方のユニットハウスＸ１にある前記供給装置から、他方のユニットハウスＸ２にも各種の配線ケーブル６０を延長したい必要がある。
この場合、土台１０や根太２０を構成するＨ鋼１１やＣ鋼２１に挿通孔１１１，２１１を設けておくことにより、各種配線ケーブル６０を一度床上に露出させる必要がなく、各ユニットハウスの床下が連通するように配線を行うことができる。
【符号の説明】
【００２０】
１０    土台
１１    Ｈ鋼
１１１  挿通孔
２０    根太
２１    Ｃ鋼
２１１  挿通孔
３１    接続板
３２    張出板
４０    床材
４１    着脱床
４１１  床ピース
４２    固定床
５０    コンセント
６０    配線ケーブル
【図１】
2017125350.tif 000003
【図２】
2017125350.tif 000004